【手続補正書】
【提出日】平成23年8月29日(2011.8.29)
【手続補正１】
【補正対象書類名】特許請求の範囲
【補正対象項目名】全文
【補正方法】変更
【補正の内容】
【特許請求の範囲】
【請求項１】
吐出口から液体を吐出するために利用される熱エネルギーを発生する発熱素子が配されたエネルギー作用室と、該エネルギー作用室に連通し前記吐出口を含む吐出口部と、を有する液体吐出ヘッドにおいて、
前記吐出口部は、前記吐出口を含む第一吐出口部と、液体を吐出する方向に直交する方向に関する断面積が前記第一吐出口部より大きく、前記エネルギー作用室と前記第一吐出口部との間に形成された第二吐出口部と、を有し、
前記直交する方向に関する前記第一吐出口部における断面の重心を通り前記吐出する方向に延びる吐出口部第一軸と、前記第二吐出口部における前記吐出する方向に関して前記第一吐出口部に最も近い部分の前記直交する方向に関する断面の重心を通り前記吐出する方向に延びる吐出口部第二軸と、が互いにずれていることを特徴とする液体吐出ヘッド。
【請求項２】
前記吐出口部第二軸は、前記吐出口部第一軸に関して、前記エネルギー作用室へ液体を供給する液体供給口の位置する側とは反対側にずれていることを特徴とする請求項１に記載の液体吐出ヘッド。
【請求項３】
前記第二吐出口部の前記吐出する方向に関して前記エネルギー作用室に最も近い部分における前記直交する方向に関する断面の重心を通る吐出口部第三軸と、前記吐出口部第一軸と、が互いにずれていることを特徴とする請求項１または２に記載の液体吐出ヘッド。
【請求項４】
前記直交する方向に関する前記発熱素子における断面の重心を通り前記吐出する方向に延びる発熱素子軸が、前記吐出口部第一軸に一致することを特徴とする請求項１から３のいずれかに記載の液体吐出ヘッド。
【請求項５】
前記直交する方向に関する前記発熱素子における断面の重心を通り前記吐出する方向に延びる発熱素子軸が、前記吐出口部第二軸に一致することを特徴とする請求項１から３のいずれかに記載の液体吐出ヘッド。
【請求項６】
前記直交する方向に関する前記発熱素子における断面の重心を通り前記吐出する方向に延びる発熱素子軸が、前記エネルギー作用室へ液体を供給する液体供給口から前記発熱素子に向かう方向に関して、前記吐出口部第一軸と前記吐出口部第二軸との間に位置することを特徴とする請求項１から３のいずれかに記載の液体吐出ヘッド。
【手続補正２】
【補正対象書類名】明細書
【補正対象項目名】００４４
【補正方法】変更
【補正の内容】
【００４４】
図５（ａ）に、第三実施形態のノズルの平面図が示され、図５（ｂ）にノズルのＢ−Ｂ線に沿う断面図が示されている。図５に示す第三実施形態では、第二吐出口部３１７の上端面での直交する方向に関する断面を通る不図示の吐出口部第二軸と、第一吐出口部３１６における直交する方向に関する断面の重心を通る吐出口部第一軸３１２とが互いにずれている。また、本実施形態では、それに加えて、第二吐出口部３１７の、吐出する方向に関して第一吐出口部に最も近い領域以外の領域における直交する方向に関する断面の重心を通る吐出口部第三軸３１４と、吐出口部第一軸３１２と、が互いにずれている。第二吐出口部３１７における最も第一吐出口部に近い領域以外の領域における直交する方向に関する断面の重心を通る軸のことを、以下、吐出口部第三軸とする。本実施形態では特に、第二吐出口部３１７の、吐出する方向に関して発泡室３０９に最も近い部分における直交する方向に関する断面の重心を通る吐出口部第三軸３１４と、吐出口部第一軸３１２と、が互いにずれている。
【手続補正３】
【補正対象書類名】明細書
【補正対象項目名】００５２
【補正方法】変更
【補正の内容】
【００５２】
また、本実施形態では、第二吐出口部６１７の上端面での直交する方向に関する断面を通る不図示の吐出口部第二軸と、第一吐出口部６１６における直交する方向に関する断面の重心を通る吐出口部第一軸６１２とが互いにずれている。また、本実施形態では、それに加えて、吐出口部第三軸６１４が第二吐出口部６１７における上端面あるいは下端面ではない部分の直交する方向に関する断面の重心を貫くように形成されている。また、吐出口部第三軸６１４が吐出口部第一軸６１２に対してずれるようにノズルが形成されている。吐出口部第三軸６１４は、第二吐出口部６１７における、より下端部に近い断面の重心を貫き、その部分で吐出口部第一軸６１２に対して大きくずれるような形状になるほど、インク流の最大流速部が第一吐出口部６１６の中心から外れる。従って、その分リフィルが完了したときのインクのメニスカス振動を抑えることができる。このため、第二吐出口部６１７の下端面での断面の重心が吐出口部第一軸６１２から大きくずれるようにノズルが形成されることが好ましい。しかしながら、本実施形態のように、第二吐出口部６１７における下端面ではない部分でインク滴の吐出する方向に直交する方向に関する断面の重心をとり、そこで重心を貫く吐出口部第三軸６１４が吐出口部第一軸６１２からずれるように形成されても良い。
【手続補正４】
【補正対象書類名】明細書
【補正対象項目名】００６７
【補正方法】変更
【補正の内容】
【００６７】
図１４（ａ）に、第十二実施形態のノズルの平面図が示され、図１４（ｂ）にノズルのＢ−Ｂ線に沿う断面図が示されている。図１４に記載のノズル形状は、第一吐出口部１２１６が円柱形状で、第二吐出口部１２１７が球体あるいは楕円球の一部を切り取った形状とする。本実施形態では、第二吐出口部１２１７が球体の一部として形成されている。第二吐出口部１２１７をこのような形状に形成することで、第二吐出口部１２１７でのよどみ領域がより少なくなり、よどみ領域のインクの温度上昇による、吐出量のばらつきなど、印字不良を抑えることができる。また、第二吐出口部１２１７の上端面での直交する方向に関する断面を通る不図示の吐出口部第二軸と、第一吐出口部１２１６における直交する方向に関する断面の重心を通る吐出口部第一軸１２１２とが互いにずれている。また、本実施形態では、それに加えて、吐出口部第三軸１２１４が、第二吐出口部１２１７における、より下端部の断面の重心を通り、吐出口部第一軸１２１２に対してずれるようにノズルが形成される。これにより、インク流の最大流速部が、第一吐出口部１２１６の内部で第一吐出口部１２１６の中心からより大きく外れる。従って、第一吐出口部１２１６へのインク流入速度を低減させることができ、その分リフィルが完了したときのインクのメニスカス振動を抑えることができる。なお、第二吐出口部１２１７におけるインク滴の吐出する方向に直交する断面の重心を取る断面は、下端面でなくとも良く、本実施形態のように、第二吐出口部１２１７における比較的下端に近い部分であっても良い。
【手続補正５】
【補正対象書類名】明細書
【補正対象項目名】００８１
【補正方法】変更
【補正の内容】
【００８１】
図２０（ａ）に、第十八実施形態のノズルの平面図が示され、図２０（ｂ）にノズルのＢ−Ｂ線に沿う断面図が示されている。図２０に記載のノズル形状は、第一吐出口部１８１６が円柱形状で、第二吐出口部１８１７が球体あるいは楕円球の一部を切り取った形状とする。本実施形態では、第二吐出口部１８１７が球体の一部として形成されている。ノズルがこのように形成されることで、第二吐出口部１８１７でのよどみ領域がより少なくなり、よどみ領域のインクの温度上昇による、吐出量のばらつきなど、印字不良を抑えることができる。また、本実施形態では、第二吐出口部１８１７における吐出する方向に関して最も第一吐出口部に近い部分での断面の重心を通る不図示の吐出口部第二軸が、吐出口部第一軸１８１２よりもインク供給口３１とは反対側にずれてノズルが形成されている。それと共に、第二吐出口部１８１７における、より下端部に近い断面の重心を通る吐出口部第三軸１８１４が、吐出口部第一軸１８１２に対してずれるようにノズルが形成されている。より下端部に近い断面の重心を通る吐出口部第三軸１８１４が吐出口部第一軸１８１２に対してずれるような形状になるほど、インク流の最大流速部が第一吐出口部１８１６の中心から大きく外れる。従って、第一吐出口部１８１６へのインク流入速度を低減させることができ、その分リフィルが完了したときのインクのメニスカス振動を抑えることができる。なお、第二吐出口部１８１７におけるインク滴の吐出する方向に直交する断面の重心を取る断面は、下端面でなくとも良く、本実施形態のように、第二吐出口部１８１７における比較的下端に近い部分であっても良い。
【手続補正６】
【補正対象書類名】明細書
【補正対象項目名】００８２
【補正方法】変更
【補正の内容】
【００８２】
（他の実施形態）
なお、第一吐出口部及び第二吐出口部におけるインク滴の吐出する方向に直交する断面は、円に限ったものではなく、楕円、多角形等、曲線で囲まれ円状に近い図形をしていれば他の形状であってもよい。